(57)【要約】【課題】植物を照らすというものは，植物体やそれを植えている土壌は光を通さないため，外部に発光体を導電体ごと巻き付けて電飾する，外部光源から光を当ててライトアップする，植物の外部下部からライトアップするなどである．植物，食品自体をその内部からの光透過によって光らせるものはない．【解決手段】植物，食品内部に導光し，その透過光によってイルミネーションする．光散乱範囲の大きい透明棒状または半球状刺入体を形成し，それを剣山のごとく導光基台に立てて，植物は中空状のもの，または内部をくり抜いて中空状とし，該導光刺入体に被せて内部から光を放射し，光透過することをもって，植物，果物，食品から出てくる光を外部から観賞するようにした照明装置．【選択図】図１
2010219016.tif 000002
【特許請求の範囲】
【請求項１】
光を導く導光体に植物，とくに，野菜，果物，あるいは食品，とくに，ケーキ類，食パン，魚肉を刺し被せ，光を外部に透過させて該植物，該食品を光らせ，かつ該導光体自体が剣山のごとき支持機能をもつ照明装置（ここでは，導光型剣山と称する）．
【請求項２】
植物，食品を直接またはくり抜いて刺し保持することができ，かつ，該植物，該食品の内部から外部へ光を透過させる円形・楕円形棒状もしくは棘金棒状もしくは半球状もしくはファイバー束の導光体から成る剣山．
【請求項３】
導光体の先端部あるいは胴部を平坦もしくは半円球状もしくは凹凸状に成形し，あるいは導光体内部に光透過率の違うバブル体を混入して，該導光体先端もしくは全体から光が散乱するように成形した導光型剣山
【請求項４】
導光体に蛍光物質，色素物質を塗布もしくは混入した導光型剣山
【請求項５】
植物，食品の透過光が意味のある模様あるいは文字を光表示できるように成形した導光型剣山
【請求項６】
ブザーあるいはスピーカを埋設もしくは併設した導光型剣山
【請求項７】
縦据置き型だけでなく，横置き型あるいは吊り下げ型の空間設置を可能とする請求項１から６を満たす導光型剣山
【請求項８】
導光体を球体もしくはオブジェ（象徴体）に成形し，野菜，果物，食品内に埋め込むことを可能とした内部設置型導光剣山．
【発明の詳細な説明】
【技術分野】
【０００１】  本発明は，光を導くことができる針状体もしくは棒状体もしくは棘金棒体もしくは半球状体（以下導光体という）に植物（野菜，果物），食品（ケーキ，魚肉）を刺し被せ，該導光体に可視光を投入することによって，該植物もしくは食品の内部から外部へ光を透過させ，該植物もしくは食品を光らせ，もって，その内外観を観賞することを目的とした光透過観賞器具である．また，光透過基台に導光体を立て，刺し被せる物体を保持する導光型剣山とすることができる．
【背景技術】
【先行技術文献】
【０００２】  本発明の趣旨から，光によって植物の生育を促進しようとするものは除く．
植物照射装置（特許公開２００１−０９５３７６）は，植物観賞用ライトアップに関し，外部支持体から植物外形に沿って光を照射しようとするものであって，植物内部から外部への光透過を利用したものではない．
【０００３】  植物発光装置・またはその方法（特許公開２００６−２５４９０７）は，蛍光物質を吸収した植物に対し，紫外線を照射して植物を発光させるものであるが，光を植物内部に導入し，外部へ光を透過させるものではない．
【０００４】  ネオン管を利用した照明器具（特許公開平０８−３３９７０６）は，アクリル板上にネオン管を利用した光を発光させ，中央部に設けた空間に観賞用植木鉢を置いて観賞する照明器具であるが，植物自体の光透過を利用したものではない．
【０００５】  剣山支持具（特許公開２００３−１３５２３３）は，透明剣山でありながら，生け花を飾り付けた際に目立ち難い石英，ガラス等の透明材料を用い，生け花の倒壊を防止するものであり，導光機能を主たる目的として利用したものではない．
【０００６】  観賞用植木鉢（特許公開平０６−２１７６４５）は，植物を植えた植木鉢の外側に鉢を設けて二重構造とし，その間隙部に光を導いて植木自体を目立つようにした観賞用植木鉢である．しかし，植物を植えた媒体が土だと，光を通さないので該媒体の材質選定が制限されること，また，植物内部から光を外部に透過させるものではないことにおいて本発明とは異なる．
【０００７】  スティックライト（登録実用新案３１１６９０４）は，発光部にステム（細い棒）を付け，該ステムをケーキや，花束，グラス，植木鉢に刺入し，発光部で周りを照らすことを目的としている．ケーキでは，ケーキの内部を照らすのではなく，ローソクのように立てて上部，周囲から照らす，いわゆるスティック状のライトであり，光透過を利用したものではない．
【発明の概要】
【発明が解決しようとする課題】
【０００８】  植物を照らす，ライトアップするというものは，おしなべてクリスマスライトのごとく外部に光体を導電体ごと巻き付けて電飾する，外部から電球，ＬＥＤなどの光源からの光を当ててライトアップする，植物の外部近傍に刺入した光源で照らす，植物下部からライトアップする（ただし，土壌は光を通さない）などであり，本発明のごとく植物，食品自体をその内部からの光透過によって光らせるものはない．【０００９】  申請者は従来から，植物，食品内部に導光し，その透過光によってイルミネーションする方法を模索してきた．しかるに，堅木は光を通さず，下部の土壌や植物根も光を通さず，液体に浸したとしても液体部から光を対象体に導入できず，考えあぐねていた．
また，一部の特許申請にあるごとく，蛍光物質や導光体を植物に吸わせることも難しい．【００１０】  そこで，本発明に到達したのは，ねぎの中空内部に何らかの形で導光すれば，透過して出てくる光を外部から眺めたとき，下から上まで光って見えるのではないかというものであった．ねぎの土中部から光ファイバ等で導光すればよい．
しかしそれにも別の問題があった．それは，光ファイバはその先端だけが光を放出するので，中空植物幹体に導光したとしても光ファイバの先端部だけしか光が透過してこない，これでは芸術性がない．【００１１】  そこで，光散乱範囲の大きい透明大型棒状刺入体，その棒状内部を光散乱させるものを剣山のごとく導光基台に立てて，植物は中空が大きいピーマン状のものとし，また，内部が充填しているエリンギやたまねぎや果物などは内部をくり抜いて中空状とし，上記の導光体に被せて内部から光を放射し，光が幅広く透過することをもって空間にそのシルエットが浮かび上がるというものを実験した．そして植物，果物，およびケーキ等の食品が光オブジェとなることを確かめた．
【課題を解決するための手段】
【００１２】  本発明は，植物，食品の体内に導光し，その光を外部へ透過させて観賞することに関する．
スポット型光源，導光基台，その上に剣山のごとく導光棒状体や球状体を設置する．導光棒状体や球状体は透明にして，上部は平面もしくは半球状もしくは円錐状もしくはそれに準ずる形状に成形する．それらの導光体は，端部・側部とも光が乱反射しやすいように波状，ギザギザ，気泡混入などに成形する．植物，食品の水分と導光体との屈折率の違いにより，幅広く散乱光が得られる．
光源から光を導く経路は，基台に光源を直接設置しても，光ファイバ等で導光してもよい．導光棒状体，球状体に光を導入する透明基台は，周囲を反射体で覆う．光源には，各種の光色体や色フィルタを用意し，かつ，時間的に光の色・強度が変化できるようにしてよい．【００１３】  光透過の対象物は，中空をもつ植物，あるいは内部充填された植物では内部をくり抜いたり，生地のまま巻き付けたりした野菜や果物，または食品（ケーキや魚肉類を含む）．
【発明の効果】
【００１４】  植物，食品が内部から外部に光を透過してきて，ぼんぼりのように周囲にほのかな照明を与え，かつ，植物，食品特有の形と光を放つものは，観賞に値する．各陳列場面，すなわち，小売り店頭，大型ショーウインドー，料理屋，居酒屋，人が集まるロビー，一般家庭などでオブジェの表現を適宜整え，変化させることができ，該場面でオリジナル性が発揮できる．
【図面の簡単な説明】
【００１５】
【図１】本発明の各実施例にほぼ共通した全体を示すの側面図である．
【図２】実施例図１の光導入部１〜３を，装置全体の体裁のため横置きとしたである．
【図３】植物，食品の対象物内部に刺入する導光型剣山の代表例を６ａから６ｅまでに示した．６ｄの内部の小片は，気泡や異物質を分散させたことを示す．
【符号の説明】
【００１６】  １    光源          （例）電灯，ハロゲンランプ，ＬＥＤ，レーザ
２    集光レンズ
３    光導入部      （例）空気中，中空円筒，光ファイバ束
４    導光基台      （例）アクリル，ガラスの広幅台，割愛してもよい
５    遮光物体      （例）光の漏れを防ぐアルミ箔，塗料
６    導光体        （例）突起状，横置き棒状，基台４をなくしたオブジェ
７    光放射
８    光を透過する植物，食品
【実施例１】
【００１７】  本発明の実施例を図面を参照して説明する，
図１は，本発明の各実施例にほぼ共通した側面の全体図である．光らせたい対象物８への導光部は１から７である，１は，電灯，ＬＥＤ，レーザ等の発光体である．２は集光レンズであり，省略も可能である．３は基台４へ光を導く経路であり，空中，光ファイバ，円筒体などである．４は，導光剣山と呼ぶ６を支持する導光体で，設置型では基台，吊り下げ型ではなくすることもできる．５は，基台４または導光体３からの光漏れを防ぐアルミ箔，遮光ペイント等の遮蔽物である．６は導光型剣山である．７は放射される光である．８は，植物，食品の断面図であり，導光型剣山７に刺入し，あるいは被せ，放射光７を外部に透過させる．
【実施例２】
【００１８】  図２は，製品のコンバクト化のため，光源１，集光レンズ２，導光路３を横置き型に制作した例である．もちろん，基台４の側面から入光する構成も可能である．その場合は，基台４の内部に光軸を曲げる反射体を挿入してもよい．
【実施例３】
【００１９】  図３は，導光型剣山を抜き出したものである．６ａは円筒棒状体で上部を平たく成形したもの．６ｂは棒状体の上部を半球状に成形したもの．６ｃは棒状体の上部を円錐体状に成形したもの．６ｄは棒状体側部を凹凸に成形したもの，あるいは図３すべてに共通するものであるが，内部に屈折率の異なる泡などの異種粒体を分散させたもの，または双方を用いたものを代表している．６ｅは半球状体に成形したものであり，取付け部を首長にしてもよい．
【実施例４】
【００２０】  導光基台４自体を球形もしくは円柱形に成形することも可能である．そしてさらに光を散乱させるため，表面を凹凸に成形するとか，あるいは導光棒状体６を機雷の棘状突起のように空間に張り出すなどとすることができる．
【図１】
2010219016.tif 000003
【図２】
2010219016.tif 000004
【図３】
2010219016.tif 000005